(57)【要約】  【課題】原燃料ガスと水蒸気とを十分混合した後に触媒層に送り込むことができ、又水蒸気中における液体が触媒層へ浸入するのを抑えるようにした改質器を提供する。  【解決手段】第３円筒体３（反応管）の外筒３ａと内筒３ｂとの間に触媒を充填して触媒層１０が形成され、内筒３ｂの内側に燃焼筒１４が設けられると共に、下部に加熱手段１６が設けられた改質器であって、内筒３ｂの上端部に混合器１２を設ける。この混合器１２は、混合室１２ｄを備え、原燃料ガスと水蒸気とを供給する導入管１３を接続すると共に、１又は２以上の排出孔１２ｂを設け、且つ外周縁に壁体１２ｃを立設する。前記加熱手段１６による燃焼ガスによって触媒層１０を所定の反応温度に加熱し、導入管から供給される原燃料ガスと水蒸気とを混合器で十分混合し、この混合ガスを排出孔１２ｂから流出させて触媒層１０に供給する。混合ガス中に液体が含まれている場合には、前記壁体１２ｃにより阻止して触媒層１０への浸入を抑えることができる。【選択図】  図１
2006027969.tif 000002
【特許請求の範囲】
【請求項１】
外筒と内筒との間に触媒を充填して触媒層が設けられ、前記内筒の内側に燃焼筒が配設されると共に下部に加熱手段が設けられ、この加熱手段による燃焼ガスによって前記触媒層を所定の反応温度に加熱し、前記触媒層に炭化水素系の原燃料ガスと水蒸気とを供給して水素主体の改質ガスを生成する改質器であって、前記内筒の上部に前記原燃料ガスと水蒸気とを混合するための混合器を設けたことを特徴とする改質器。
【請求項２】
前記混合器は蓋体を有する容器であって、その蓋体には前記原燃料ガスと水蒸気とを供給するための導入管が接続されると共に、前記容器内で混合した原燃料ガスと水蒸気との混合ガスを流出する排出孔が設けられていることを特徴とする請求項１に記載の改質器。
【請求項３】
前記排出孔は１又は２以上形成され、その排出孔の開口面積又は開口面積の総計は、前記蓋体に接続される導入管の開口面積より小さいことを特徴とする請求項２に記載の改質器。
【請求項４】
前記導入管は蓋体の中心から外れた位置に接続され、前記排出孔が１であって蓋体の中心位置に設けられていることを特徴とする請求項２又は請求項３に記載の改質器。
【請求項５】
前記導入管は蓋体の中心位置に接続され、前記排出孔は２以上であって蓋体の外周部に円周方向に沿って等間隔に設けられていることを特徴とする請求項２又は請求項３に記載の改質器。
【請求項６】
前記混合器は蓋体の外周縁に沿って壁体が立設されていることを特徴とする請求項１乃至請求項５いずれか１項に記載の改質器。
【発明の詳細な説明】
【技術分野】
【０００１】
本発明は、燃料電池に供給する水素主体の改質ガスを生成するための改質器に関する。
【背景技術】
【０００２】
一般に広く知られているように、燃料電池は、電解質を介して水素ガスと酸素ガスとを電気化学的に反応させて、直流電力を発電すると共に水を生成するものである。
燃料電池の燃料となる水素ガスは、水素ボンベ等から燃料電池に直接供給する場合と、炭化水素系の原燃料を触媒を介して水蒸気改質し、水素を主体とする改質ガスに替えてから燃料電池に供給する場合とがある。炭化水素系の原燃料としては、例えば天然ガス、メタノール、ＬＰＧ、ナフサ、灯油、石炭ガス等を使用することができる。一方、水素ガスと反応させる酸素ガスは、通常大気から取り込んだ空気を燃料電池に供給している。
【０００３】
上記炭化水素系の原燃料から水素主体の改質ガスを製造する装置は、通常改質器と称されており、例えばニッケル触媒等を充填した反応管と、その触媒を加熱するためのバーナ等の加熱手段とから構成されている。反応管における触媒層は、バーナ等の加熱手段により所定の反応温度に加熱され且つ維持される。改質器で生成される改質ガスは、水素、メタン、一酸化炭素、二酸化炭素、水蒸気からなる混合ガスである。改質器では一酸化炭素を二酸化炭素に変成するシフト反応も並行して生じるが、平衡温度が高いため一酸化炭素濃度が高くなる。一酸化炭素は、燃料電池の白金系電極触媒に対する被毒作用があるため、改質器に続くＣＯ変成器で一酸化炭素を二酸化炭素に変成し、更にＣＯ変成器に続くＣＯ除去器で選択酸化することにより一酸化炭素濃度を１０ｐｐｍ以下に低減させた後に、改質ガスを燃料電池に供給するようにしている。従来技術における改質器としては、例えば特許文献１、特許文献２、特許文献３等に開示されている。
【特許文献１】特開２００４−１６４９７６号公報
【特許文献２】特開２００３−３２１２０６号公報
【特許文献３】特開２００３−３１７７７９号公報  尚、上記改質器とＣＯ変成器とＣＯ除去器とを含めて燃料改質装置と称することがある。
【発明の開示】
【発明が解決しようとする課題】
【０００４】
従来の改質器においては、前記原燃料ガスに水蒸気を吹き込んで反応管に供給し、所定の反応温度に加熱・維持されている触媒層を通して水素主体の改質ガスを生成しているが、原燃料ガスと水蒸気とが良く混合されないうちに触媒層に流入することが多い。このような事態が生じると、触媒層での改質効率が低下し且つ改質ガスの成分にばらつきが生じて良質の改質ガスが得られないことになる。又、原燃料ガスに吹き込む水蒸気が１００℃であると、水蒸気中に気体と液体とが入り混じった混相状態になっており、水蒸気中の液体が触媒層に浸入すると触媒が割れて粉体化し、或は触媒同士が付着して活性が低下する。このような事態が生じると、触媒層を阻害するばかりか触媒層での改質効率を低下させることになる。
【０００５】
本発明は、上記のような従来改質器での難点を解消するためになされたもので、原燃料ガスと水蒸気とを十分混合した後に触媒層に送り込むことができ、又水蒸気中における液体が触媒層へ浸入するのを抑えるようにした改質器を提供することを目的とする。
【課題を解決するための手段】
【０００６】
上記の目的を達成するために、本発明に係る請求項１の改質器は、外筒と内筒との間に触媒を充填して触媒層が設けられ、前記内筒の内側に燃焼筒が配設されると共に下部に加熱手段が設けられ、この加熱手段による燃焼ガスによって前記触媒層を所定の反応温度に加熱し、前記触媒層に炭化水素系の原燃料ガスと水蒸気とを供給して水素主体の改質ガスを生成する改質器であって、前記内筒の上部に前記原燃料ガスと水蒸気とを混合するための混合器を設けたことを特徴とする。
【０００７】
本発明に係る請求項２の改質器は、請求項１の改質器において、前記混合器は蓋体を有する容器であって、その蓋体には前記原燃料ガスと水蒸気とを供給するための導入管が接続されると共に、前記容器内で混合した原燃料ガスと水蒸気との混合ガスを流出する排出孔が設けられていることを特徴とする。
【０００８】
本発明に係る請求項３の改質器は、請求項２の改質器において、前記排出孔は１又は２以上形成され、その排出孔の開口面積又は開口面積の総計は、前記蓋体に接続される導入管の開口面積より小さいことを特徴とする。
【０００９】
本発明に係る請求項４の改質器は、請求項２又は請求項３の改質器において、前記導入管は蓋体の中心から外れた位置に接続され、前記排出孔が１であって蓋体の中心位置に設けられていることを特徴とする。
【００１０】
本発明に係る請求項５の改質器は、請求項２又は請求項３に記載の改質器において、前記導入管は蓋体の中心位置に接続され、前記排出孔は２以上であって蓋体の外周部に円周方向に沿って等間隔に設けられていることを特徴とする。
【００１１】
本発明に係る請求項６の改質器は、請求項１乃至請求項５いずれか１項の改質器において、前記混合器は蓋体の外周縁に沿って壁体が立設されていることを特徴とする。
【発明の効果】
【００１２】
上記請求項１の改質器によれば、内筒の上部に前記原燃料ガスと水蒸気とを混合するための混合器が設けられているため、この混合器により原燃料ガスと水蒸気とを十分に混合することができる。これにより、混合器で十分に混合した原燃料ガスと水蒸気とを前記触媒層に送り込み、触媒層での改質効率を向上させ、且つ改質ガスの成分がほぼ一定となって良質の改質ガスが得られる。
【００１３】
上記請求項２の改質器によれば、前記混合器は蓋体を有する容器であって、その蓋体には前記原燃料ガスと水蒸気とを供給するための導入管が接続されると共に、前記容器内で混合した原燃料ガスと水蒸気との混合ガスを流出する排出孔が設けられているため、混合器内で原燃料ガスと水蒸気とを良く混合すると共に、その混合ガスを排出孔から排出して触媒層に連続的に送り込むことができる。
【００１４】
上記請求項３の改質器によれば、前記排出孔は１又は２以上形成され、その排出孔の開口面積又は開口面積の総計は、前記蓋体に接続される導入管の開口面積より小さいため、前記混合器内で圧損による混合効率を向上させ、原燃料ガスと水蒸気とのミキシング効果を高めることができる。
【００１５】
上記請求項４の改質器によれば、前記導入管は蓋体の中心から外れた位置に接続され、前記排出孔が１であって蓋体の中心位置に設けられているため、原燃料ガスと水蒸気との混合ガスを排出孔からほぼ放射方向に排出して触媒層に送り込むことができる。これにより、触媒層での改質のばらつきを抑えることができる。
【００１６】
上記請求項５の改質器によれば、前記導入管は蓋体の中心位置に接続され、前記排出孔は２以上であって蓋体の外周部に円周方向に設けられているため、原燃料ガスと水蒸気との混合ガスを排出孔からほぼ均一に分散させて触媒層に送り込むことができる。これにより、触媒層での改質のばらつきを一層抑えることができる。
【００１７】
上記請求項５の改質器によれば、前記混合器は蓋体の外周縁に沿って壁体が立設されているため、前記排出孔から排出される混合ガス中に液体が含まれている場合に、その液体を壁体により阻止して触媒層への浸入を抑えることができる。これにより、触媒の破壊及び活性低下を抑えて、触媒層を保護すると共に改質効率の向上を図ることができる。
【発明を実施するための最良の形態】
【００１８】
次に、本発明に係る改質器の実施形態について添付図面を参照しながら説明する。図１は、本発明に係る改質器の実施形態を示す概略縦断面図である。図２は、本発明に係る改質器の実施形態における混合器の概略縦断面図である。図３（ａ）、（ｂ）は、本発明に係る改質器の混合器における原燃料ガスと水蒸気とを供給する導入管と、混合ガスの排出孔との位置関係を示すそれぞれ平面図である。
【００１９】
図１において、１は第１円筒体、２は第１円筒体１の内側に配設された第２円筒体、３は第２円筒体２の内側に配設された第３円筒体であり、この第３円筒体３は反応管であって外筒３ａと内筒３ｂとから構成されており、４は第１円筒体１の外側に配設された第４円筒体である。
【００２０】
上記第１円筒体１は底部がベースブロック５に固定され、上端部は閉塞されると共に取付孔が設けられ、この取付孔に前記第２円筒体２が貫通状態で固定され、側面の上端部には燃焼ガス排出管６が取り付けられている。第２円筒体２の底部は第１円筒体１の底部に対して間隔をあけ、且つ第２円筒体２の側部は第１円筒体１の側部に対して間隔をあけることにより燃焼ガス排出路７が設けられ、この燃焼ガス排出路７は上記燃焼ガス排出管６に連通している。又、第１円筒体１より上方に突出している第２円筒体の上端部には改質ガス排出管８が取り付けられている。
【００２１】
上記第３円筒体３は外筒３ａと内筒３ｂとが間隔をあけて複数の放射状ステー９により上下部をそれぞれ固定することにより一体化され、内筒３ｂの下端開口部が前記第２円筒体２の底部孔に溶接されることで固定されており、外筒３ａと内筒３ｂとの間に触媒を充填して触媒層１０が形成されている。外筒３ａの底部は図示を省略した多数の微細孔又は網目状に形成することで、触媒層１０の触媒粒子は落下しないが触媒層１０で改質された改質ガスは通過できるようにしてある。又、外筒３ａの底部は第２円筒体２の底部に対して間隔をあけ、且つ外筒３ａの側部は第２円筒体２の側部に対して間隔をあけることにより改質ガス流路１１が設けられ、この改質ガス流路１１は前記改質ガス排出管８に連通している。
【００２２】
１２は内筒３ｂの上端に設けられた混合器であり、混合室１２ｄを備えた容器であって、その蓋体１２ａには導入管１３の下端部が接続されると共に、１又は２以上の排出孔１２ｂ（図２、図３参照）が設けられ、蓋体１２ａの外周縁には壁体１２ｃが立設されている。
【００２３】
上記導入管１３は前記外筒３ａの上壁及び第２円筒体２の上壁を貫通して上方に突出しており、その上端部に原燃料ガス供給口１３ａを設けると共に、分岐管を取り付けて水蒸気供給口１３ｂを設けてある。これにより、原燃料ガスと水蒸気とが供給されると、導入管１３を通って上記混合器１２の混合室１２ｄ内に流入し、この混合室１２ｄで混合された後に前記排出孔１２ｂから排出される。排出された原燃料ガスと水蒸気との混合ガスは、前記壁体１２ｃを超えて触媒層１０に流入する。
【００２４】
前記混合器１２は導入管１３から導入される原燃料ガスと水蒸気とを混合し、その混合ガスを触媒層１０に供給するが、混合室１２ｄ内での混合を十分に行うために圧力損失を考慮してある。即ち、混合器１２の蓋体１２ａに１又は２以上形成される排出孔１２ｂの開口面積又は開口面積の総計は、蓋体１２ａに接続される導入管１３の開口面積より小さくなるように設定し、これにより混合室１２ｄの入口と出口との間に圧力損失を発生させて混合室１２ｄ内での混合効率を向上させる。
【００２５】
又、混合器１２の排出孔１２ｂから排出される混合ガスを触媒層１０に供給するに際して、混合ガスの排出状態を制御するために、例えば図３（ａ）のように導入管１３は蓋体１２ａの中心から外れた位置に接続し、１の排出孔１２ｂを蓋体１２ａの中心位置に設ける。この場合には、混合ガスが蓋体１２ａの中心位置の排出孔１２ｂから排出されるため、ほぼ放射方向に排出して触媒層１０に流入することができる。又、図３（ｂ）のように導入管１３は蓋体１２ａの中心位置に接続し、２以上の排出孔１２ｂを蓋体１２ａの外周部に円周方向に沿って等間隔に設ける。この場合には、混合ガスが円周方向に等間隔に並んでいる複数の排出孔１２ｂから排出されるため、ほぼ均一に分散排出して触媒層１０に流入することができる。図３（ｂ）では排出孔１２ｂの数は６であるがこれに限定されない。
【００２６】
更に、混合器１２から排出される混合ガスを触媒層１０に供給するに際して、混合ガス中に水蒸気の液体が含まれている場合に、前記蓋体１２ａの外周縁に設けた壁体１２ｃにより阻止して触媒層１０への浸入を抑えることができる。
【００２７】
混合器１２の大きさに関しては、触媒層１０に段部が生じないように例えば図２のように混合器１２の外径Ａは内筒３ｂと同じ外径に設定し、混合室１２ｄの高さは約１／４Ａとし、壁体１２ｃの高さは１／５Ａ〜１／４Ａに設定してあるが、これらの寸法に限定されない。触媒層１０の体積を考慮して適宜設定される。但し、混合器１２は、内筒３ｂの上端と外筒３ａの蓋体との間の空間部に設けられるため大きさの上限は制限を受ける。
【００２８】
前記第４円筒体４は、図１のように前記ベースブロック５を内側に取り込んでその下面側に底部が固定され、第１円筒体１と第２円筒体２と第３円筒体３の上部が第４円筒体４の蓋体を貫通して上方に突出している。この第４円筒体４の内側には断熱材による断熱層４ａと空気層４ｂとが設けられ、内部の熱が外部に逸散しないようにしてある。
【００２９】
１４は内筒３ｂの内側に配設された燃焼筒であり、下端部は前記第２円筒体２の底部孔と第１円筒体１の底部孔を貫通して前記ベースブロック５の中心孔５ａに固定され、側部は上下部に円周方向に設けられた複数のリブ１４ａを内筒３ｂの内面に当接させ、内筒３ｂの側部に対して間隔をあけることで燃焼ガス流路１５を形成してある。この燃焼ガス流路１５の下端は第２円筒体２の底部孔を介して前記燃焼ガス排出路７に連通している。
【００３０】
１６は加熱手段であり、第４円筒体４の下位に位置させて前記ベースブロック５に取付具１７を介して固定してある。加熱手段１６の内部には図示を省略したバーナが配置されている。このバーナで燃焼した燃焼ガスは前記燃焼筒１４内に流入し、燃焼筒１４の上端から流出すると共に折り返し、前記燃焼ガス流路１５に流入して下向きに流れ、この燃焼ガス流路１５の下端から前記燃焼ガス排出路７に流出し、更にこの燃焼ガス排出路７を経て前記燃焼ガス排出管６から外部に排出される。
【００３１】
又、加熱手段１６の側部には空気取入口１６ａが設けられ、この空気取入口１６ａには図示を省略したファンが配置され、このファンにより大気から空気を取り込んで前記バーナに燃焼用空気を供給する。更に、加熱手段１６の下部には前記バーナに燃料を供給する
燃料供給口１６ｂが切り替え可能に設けられている。
【００３２】
本実施形態の改質器は上記のように構成されており、次にその作用について説明する。燃料電池の運転開始前に、炭化水素系の原燃料ガスを加熱手段１６に供給してバーナで燃焼し、触媒層１０の温度を所定の反応温度まで上昇させる。原燃料ガス中に硫黄分が含まれている場合には、触媒の被毒を防止するために図示を省略した脱硫器に通して硫黄分を吸着・除去してから加熱手段１６に供給することが望ましい。
【００３３】
バーナで燃焼した燃焼ガスは、前記のように燃焼筒１４の先端から流出すると共に、内筒３ｂの上端が混合器１２により閉塞されているため折り返して燃焼ガス流路１５内に流入する。この時、内筒３ｂにおける燃焼筒１４の先端より上方の領域は高熱雰囲気となり、燃焼筒１４の先端より上に位置する触媒層１０の上層部分が燃焼ガスによって加熱されて昇温する。燃焼ガス流路１５に流入した燃焼ガスはこの燃焼ガス流路１５に沿って流下するため、燃焼筒１４と内筒３ｂとの間の領域が高熱雰囲気となり、燃焼筒１４の先端より下に位置する触媒層１０の部分が加熱されて昇温する。
【００３４】
燃焼ガスにより触媒層１０の温度が反応温度まで昇温した時点で、前記導入管１３の原燃料ガス供給口１３ａから原燃料ガスを供給すると共に、水蒸気供給口１３ｂから水蒸気を供給して原燃料ガスの水蒸気改質反応を開始する。原燃料ガス中に硫黄分が含まれている場合は、前記脱硫器にて硫黄分を除去してから原燃料ガス供給口１３ａに供給することが望ましい。又、水蒸気は図示を省略した蒸気発生器から供給されるが、この蒸気発生器として熱交換器を使用し、前記燃焼ガス排出管６から排出される高熱の排ガスを熱交換器に導入して冷水と熱交換させることで、水蒸気を発生するようにすると好ましい。
【００３５】
供給された原燃料ガスと水蒸気は、前記導入管１３を通って混合器１２に流入し、混合室１２ｄ内で十分混合された後に排出孔１２ｂから排出する。この時、前記のように排出孔１２ｂの開口面積（排出孔１２ｂが２以上の場合は開口面積の総計）は、導入管１３の開口面積より小さく設定してあるため、圧力損失が生じて混合室１２ｄ内での流動時間が増大し、これにより混合室１２ｄ内での原燃料ガスと水蒸気との混合効率が高くなる。
【００３６】
混合器１２の排出孔１２ｂから排出された混合ガスは、前記壁体１２ｃを超えて触媒層１０に流入する。この時、前記のように１の排出孔１２ｂが蓋体１２ａの中心位置に設けられている場合には、この排出孔１２ｂから混合ガスがほぼ放射状に排出して触媒層１０に流入する。又、複数の排出孔１２ｂが蓋体１２ａの外周部に円周方向に沿って等間隔に設けられている場合には、混合ガスがほぼ均一に分散排出して触媒層１０に流入する。これにより、触媒層１０での改質反応のばらつきを抑えて改質効率を向上させることができる。
【００３７】
又、混合器１２には壁体１２ｃが立設されていることから、混合ガス中に水蒸気の液体が混在する場合には、ガスより重い液体は壁体１２ｃを超えられず、触媒層１０への浸入が抑えられる。これにより、触媒の破壊による粉体化と、触媒同士の付着による活性低下を抑えることができ、触媒の保護と改質効率の向上が図れると共に、改質ガスの成分がほぼ一定となって良質の改質ガスが得られる。前記のように混合器１２は内筒３ｂの上端に位置しているため、内筒３ｂ上方領域の高熱雰囲気に加熱される。これにより、混合室１２d内が１００℃より高温になると、水蒸気中の液体を気化させて混合ガス中の液体を減少させることができる。
【００３８】
触媒層１０に流入した混合ガスは、触媒層１０内を流下しながら触媒反応によって水素を主体とする改質ガスに改質される。この水素主体の改質ガスは、前記外筒３ａにおける底部の多数の微細孔又は網目を通過して前記改質ガス流路１１内に流入し、この改質ガス流路１１を上昇して第２円筒体２の上部領域に至り、前記改質ガス排出管８から外部に排出される。
【００３９】
排出された改質ガス中には、高濃度の一酸化炭素が含まれており、この一酸化炭素は燃料電池の白金系電極触媒を被毒するため除去することが好ましい。このため、前記のように改質ガス排出管８から排出される改質ガスをＣＯ変成器（図略）に導入して一酸化炭素を二酸化炭素に変成し、これに続いてＣＯ除去器（図略）に導入して選択酸化することにより一酸化炭素濃度を１０ｐｐｍ以下に低減してから、燃料電池のスタック（図略）に供給する。
【００４０】
燃料電池は改質ガスが供給されると運転を開始するが、運転中においては燃料電池のスタックからオフガス（反応しなかった余剰の改質ガス）が排出されるため、このオフガスを前記加熱手段１６に供給してバーナで燃焼することができる。これにより、オフガスの有効利用が図れる。前記のように触媒反応は吸熱反応であるため、燃料電池の運転中もバーナを燃焼させて加熱し、触媒層１０を所定の反応温度に維持しなければならない。オフガスの供給時には、加熱手段１６の燃料供給口１６ｂを切り替えて燃焼用としての原燃料ガスの供給は停止する。
【産業上の利用可能性】
【００４１】
本発明に係る改質器は、燃料電池発電システムや燃料電池を用いたコージェネレーションシステム等に組み込んで好適に利用することができる。
【図面の簡単な説明】
【００４２】
【図１】本発明に係る改質器の実施形態を示す概略縦断面図である。
【図２】本発明に係る改質器の実施形態における混合器の概略縦断面図である。
【図３】（ａ）、（ｂ）は、本発明に係る改質器の混合器における原燃料ガスと水蒸気とを供給する導入管と、混合ガスの排出孔との位置関係を示すそれぞれ平面図である。
【符号の説明】
【００４３】
１  第１円筒体
２  第２円筒体
３  第３円筒体
４  第４円筒体
６  燃焼ガス排出管
７  燃焼ガス排出路
８  改質ガス排出管
１０  触媒層
１１  改質ガス流路
１２  混合器
１２ａ  蓋体
１２ｂ  排出孔
１２ｃ  壁体
１２ｄ  混合室
１３  導入管
１３ａ  原燃料ガス供給口
１３ｂ  水蒸気供給口
１４  燃焼筒
１５  燃焼ガス流路
１６  加熱手段
【図１】
2006027969.tif 000003
【図２】
2006027969.tif 000004
【図３】
2006027969.tif 000005